(57)【要約】【課題】より確実に溶存気体を大気中に拡散させ、より透明度の高い氷を製造することが可能な製氷装置とそれを備えた冷凍冷蔵庫を提供する。【解決手段】製氷装置１０は、水を貯めて凍らせるための製氷容器１１と、この製氷容器１１を支持軸１１ｃのまわりに揺動させるための揺動ユニット１２とを備え、製氷容器１１は、製氷容器１１の揺動方向Ｓに沿って延びる流路１１ｄを有する。製氷容器１１は複数の製氷セル１１ａを形成するための仕切り部１１ｅを有し、この仕切り部１１ｅが製氷容器１１の揺動方向Ｓに沿って延在するように形成され、製氷容器１１の揺動方向Ｓに交差する方向には仕切り部が存在しない。【選択図】図６
2008157487.tif 000002
【特許請求の範囲】
【請求項１】
水を貯めて凍らせるための製氷容器と、
前記製氷容器を所定の揺動軸のまわりに揺動させるための駆動部とを備え、
前記製氷容器は、前記製氷容器の揺動方向に沿って延びる流路を有する、製氷装置。
【請求項２】
前記製氷容器は複数の製氷区画を形成するための仕切り部を有し、前記仕切り部が前記製氷容器の揺動方向に沿って延在するように形成され、前記製氷容器の揺動方向に交差する方向には前記仕切り部が存在しない、請求項１に記載の製氷装置。
【請求項３】
前記流路は、前記揺動軸を中心とする円筒面または楕円筒面を有する、請求項１または請求項２に記載の製氷装置。
【請求項４】
前記製氷容器の上方または側方の少なくとも一方を覆うカバー体をさらに備える、請求項１から請求項３までのいずれか１項に記載の製氷装置。
【請求項５】
前記製氷容器の上方または側方の少なくとも一方に設けられた加熱手段をさらに備える、請求項１から請求項３までのいずれか１項に記載の製氷装置。
【請求項６】
前記製氷装置の筐体と、
前記製氷容器の上方または側方の少なくとも一方を覆うカバー体と、
前記製氷容器の上方または側方の少なくとも一方に設けられた加熱手段とを備え、
前記加熱手段は、前記筐体と前記カバー体とに対して断熱部を介在して配置されている、請求項１から請求項３までのいずれか１項に記載の製氷装置。
【請求項７】
前記駆動部は、鉛直方向を中心にして±３０度〜４５度の角度範囲で前記製氷容器を揺動させる、請求項１から請求項６までのいずれか１項に記載の製氷装置。
【請求項８】
前記駆動部は、３．５秒以下の周期で前記製氷容器を揺動させる、請求項１から請求項７までのいずれか１項に記載の製氷装置。
【請求項９】
請求項１から請求項８までのいずれか１項に記載の製氷装置を備えた冷凍冷蔵庫。
【発明の詳細な説明】
【技術分野】
【０００１】
この発明は、一般的には製氷装置とそれを備えた冷凍冷蔵庫に関し、特定的には製氷容器を揺動させながら製氷を行う製氷装置とそれを備えた冷凍冷蔵庫に関する。
【背景技術】
【０００２】
一般に、冷凍冷蔵庫等に搭載される製氷装置において、透明度が低く白濁した氷が生成される。これは、水が氷結する際、水中に溶存する空気等の不純物が拡散できずに氷の内部に閉じ込められてしまうことが主な原因である。したがって、透明な氷を得るためには、不純物を拡散させる必要がある。不純物を拡散させながら製氷を行う一つの手法として、水を貯留した製氷容器を回動させながら製氷を行うものがある。この手法を用いた製氷装置が、たとえば、特開平５−１５７４２４号公報（特許文献１）に開示されている。
【０００３】
上記の公報に開示された自動製氷装置は、透明度が高い氷を得るために、支持軸を軸として製氷中に製氷皿の水が波打つ程度に製氷皿を回動振動させるものである。
【０００４】
図８は、従来の製氷装置の製氷容器を示す概略的な斜視図である。
【０００５】
上記の自動製氷装置では、たとえば、図８に示すような製氷容器１００を、支持軸１００ｃを軸として駆動手段（図示せず）により回動振動させるとともに、製氷容器１００の上面に設けたヒータ（図示せず）を作動させる。そうすると、水は製氷皿１００の底部から凍結していき、上面部分は最後まで凍結しない。このとき、水中の溶存気体は、回動振動により氷中に取り込まれる前に集約され、浮力で水面まで上昇し大気中に拡散するので、白濁のない透明な氷を作ることができる。
【特許文献１】特開平５−１５７４２４号公報
【発明の開示】
【発明が解決しようとする課題】
【０００６】
水の凍結の進行に伴い、溶存気体分子は未凍結水中に拡散し、溶存気体濃度は徐々に高くなり、やがて飽和値に達すると凍結面にて気泡が発生する。凍結面で発生した気泡の多くは、直ちに氷の凍結面に捕捉されてしまうため、より確実に気泡を大気中に拡散させるには、発生した気泡をより大きくし、氷の束縛を断ち切れる程度の浮力を気泡に与える必要がある。このことから、氷の透明度を高めるためには、水をより大きく揺動させることが有効である。
【０００７】
しかしながら、図８に示すような製氷容器１００は、氷をキューブ状にブロック分けし、離氷性を高めるために仕切部１００ａおよび１００ｂによって複数のセルに区分けされている。このため、回動振動の振幅を大きくすると、氷が仕切部１００ａの上にも氷が生成して歪な形状になり、また揺動時に水が容器からこぼれるおそれがあるため、従来の製氷容器１００は、水をより大きく動かすには不向きな形状である。
【０００８】
したがって、従来の製氷装置では、氷の透明度を高めるには限度があった。
【０００９】
この発明の目的は、より確実に溶存気体を大気中に拡散させ、より透明度の高い氷を製造することが可能な製氷装置とそれを備えた冷凍冷蔵庫を提供することである。
【課題を解決するための手段】
【００１０】
この発明に従った製氷装置は、水を貯めて凍らせるための製氷容器と、この製氷容器を所定の揺動軸のまわりに揺動させるための駆動部とを備え、製氷容器は、製氷容器の揺動方向に沿って延びる流路を有する。
【００１１】
このように構成された本発明の製氷装置では、製氷容器の揺動に応じて、水が揺動軸を中心にして製氷容器内を自在に移動することができる。これにより、製氷容器内の水をより大きく移動させることができ、水内の溶存気体を効果的に拡散しながら製氷を行うことができる。したがって、より確実に溶存気体を大気中に拡散させ、より透明度の高い氷を製造することができる。
【００１２】
この発明の製氷装置においては、製氷容器は複数の製氷区画を形成するための仕切り部を有し、この仕切り部が製氷容器の揺動方向に沿って延在するように形成され、製氷容器の揺動方向に交差する方向には仕切り部が存在しないことが好ましい。
【００１３】
このように仕切り部が製氷容器の揺動方向に沿って延在するように形成され、製氷容器の揺動方向に交差する方向には仕切り部が存在しないので、複数のセルに区分けされた製氷容器においても、製氷容器の揺動に応じて、水が揺動軸を中心にして製氷容器内を自在に移動することができる。これにより、製氷容器内の水をより大きく移動させることができ、水内の溶存気体を効果的に拡散しながら複数のセルの製氷を行うことができる。したがって、より確実に溶存気体を大気中に拡散させ、透明な複数のセル状の氷を製造することができる。
【００１４】
また、この発明の製氷装置において、流路は、揺動軸を中心とする円筒面または楕円筒面を有することが好ましい。
【００１５】
このようにすることにより、製氷容器内の水はより円滑に大きく揺動しながら凍結し、製氷完了時には美しい略三日月状の氷を生成することができる。この場合、製氷装置の流路は、製氷容器の幅と同程度の直径を持つ略半円形状または楕円形状、あるいはバスタブ形状をなすようにしてもよい。
【００１６】
さらにこの発明の製氷装置は、製氷容器の上方または側方の少なくとも一方を覆うカバー体をさらに備えることが好ましい。
【００１７】
このようにすることにより、周囲の冷気が製氷容器の上部に流入しないので、製氷容器の上部に位置する水はより凍結しにくい。このため、相対的に製氷容器の底部に位置する水から凍結が進行するように、冷却方向を制御することが容易になる。
【００１８】
この発明の製氷装置は、製氷容器の上方または側方の少なくとも一方に設けられた加熱手段をさらに備えることが好ましい。
【００１９】
このようにすることにより、製氷容器の上部と底部との間に温度差を生じさせることができるので、製氷容器の底面から一方向に冷却することができる。
【００２０】
この発明の製氷装置は、製氷装置の筐体と、製氷容器の上方または側方の少なくとも一方を覆うカバー体と、製氷容器の上方または側方の少なくとも一方に設けられた加熱手段とを備え、この加熱手段は、筐体とカバー体とに対して断熱部を介在して配置されていることが好ましい。
【００２１】
このようにすることにより、加熱手段により加えられる熱が製氷装置を構成する筐体、カバー体、付属部品等に逃げるのを防止することができるので、製氷容器の上方の空気と製氷容器の上部に位置する水とを有効に加熱することができる。これにより、製氷容器の上部と底部との間に温度差を効果的に生じさせることができるので、製氷容器の底面から一方向に冷却することができる。
【００２２】
この発明の製氷装置において、駆動部は、鉛直方向を中心にして±３０度〜４５度の角度範囲で製氷容器を揺動させることが好ましい。
【００２３】
このようにすることにより、製氷容器内の水をこぼさない範囲でより大きく移動させることができ、液体内の溶存気体を効果的に拡散しながら製氷を行うことができる。
【００２４】
この発明の製氷装置において、駆動部は、３．５秒以下の周期で製氷容器を揺動させることが好ましい。
【００２５】
このようにすることにより、水内の溶存気体を効果的に拡散できる速度で水を移動させながら製氷を行うことができる。
【００２６】
この発明に従った冷凍冷蔵庫は、上述のいずれかの特徴を有する製氷装置を備える。
【００２７】
このようにすることにより、一般家庭や飲食店等でも、手軽に透明な製氷が可能な冷凍冷蔵庫を得ることができる。
【発明の効果】
【００２８】
以上のようにこの発明によれば、より確実に溶存気体を大気中に拡散させ、より透明度の高い氷を製造することが可能になる。
【発明を実施するための最良の形態】
【００２９】
以下、本発明の一つの実施形態について、図面に基づいて説明する。
【００３０】
図１は、本発明の一つの実施形態の製氷装置を搭載した冷凍冷蔵庫の構成を示す概略的な断面図である。
【００３１】
図１に示すように、製氷装置１０は、冷凍冷蔵庫１において氷点以下の温度、好ましくは−１５℃以下に冷却された製氷室２０内に配置されている。水は、貯水タンク４０からポンプユニット５０、給水パイプ６０を通じて製氷装置１０に供給される。製氷装置１０で生成された氷は、貯氷容器３０に貯められる。なお、冷凍冷蔵庫１の背面側上部には、製氷装置１０等の動作の制御を行うための制御部７０が設けられている。
【００３２】
図２はこの発明の一つの実施の形態の製氷装置の構成を示す概略的な縦断面図、図３は図２のＩＩＩ−ＩＩＩ線における横断面図である。
【００３３】
図２と図３に示すように、製氷装置１０は、水を貯めて凍らせるための製氷容器１１と、製氷容器１１を所定の揺動軸のまわりに揺動させるための駆動部としての揺動ユニット１２と、製氷容器１１内で生成された氷を製氷容器１１から分離させるための離氷ユニット１３とから構成される。
【００３４】
製氷容器１１は、供給された水を貯留して製氷を行うための製氷区画としての複数の製氷セル１１ａと、供給された水を各製氷セル１１ａに行き渡らせるための連通部１１ｂとを備えている。各製氷セル１１ａは、製氷容器１１の揺動によって水が滑らかに移動することができるように、たとえば、水の流路として半円筒面の底面を有する。製氷容器１１は、一方端部に製氷グリル１４に接続される支持軸１１ｃを有する。製氷容器１１の他方端部は、揺動ユニット１２に接続されるとともに離氷ユニット１３に連結されている。
【００３５】
揺動ユニット１２は、主に、正逆回転可能なギャードモータ１２ａと、ギャードモータ１２ａのモータ軸に接続されたアーム１２ｂとから構成される。アーム１２ｂは製氷容器１１の他方端の下部に接触しているので、ギャードモータ１２ａが回転することにより、アーム１２ｂを介して製氷容器１１を揺動させることができる。
【００３６】
離氷ユニット１３は、内部に離氷用モータ１３ａと、離氷モータ１３ａのモータ軸に取り付けられた減速ギア１３ｂと、製氷容器１１の他方端の上部に接続された突出軸を有する減速ギア１３ｃと、減速ギア１３ｂと減速ギア１３ｃとに噛み合う中間ギアとしての減速ギア１３ｄ（図５）とを備える。離氷用モータ１３ａを回転させて、減速ギア１３ｂ、１３ｃ、１３ｄを介して製氷容器１１をひっくり返すことにより、生成された氷を製氷容器１１から落下させる。
【００３７】
図４は、揺動ユニットと製氷容器との位置関係を示す部分断面図である。
【００３８】
図４の（Ａ）に示すように、製氷時には、揺動ユニット１２のアーム１２ｂは、製氷容器１１の他方端の下部に係合し接触しており、ギャードモータ１２ａが回転することにより、アーム１２ｂを介して製氷容器１１を揺動させることができる。図４の（Ｂ）に示すように、離氷時には、揺動ユニット１２のアーム１２ｂは、製氷容器１１が揺動角を越えて回転した際にはアーム１２ｂが製氷容器１１の端面に沿って弾性変形の範囲内で変形し、離氷ユニット１３の運転に干渉しないように製氷容器１１に接続されている。
【００３９】
図５は、離氷ユニット内のギア部の構成を示す側断面図（Ａ）と縦断面図（Ｂ）である。
【００４０】
図５に示すように、離氷ユニット１３は、製氷容器１１の揺動に緩衝しないように、減速ギア１３ｃでは一部の歯面が欠如している。
【００４１】
また、図３に示すように、製氷グリル１４には製氷容器１１の上方と側方を覆うカバー体１７が設けられている。製氷容器１１の上方には、カバー体１７に対して、断熱部としての断熱材１５を介在して、加熱手段としてのワイヤヒータ１６が配置されている。ここで、断熱材１５を使用するのは、ワイヤヒータ１６で発生する熱が製氷グリル４等を介して筐体に伝わるのを防ぎ、製氷容器１１の上部付近の空気や製氷容器１１の上部に位置する水を効果的に加熱するためである。
【００４２】
図６は、この発明の一つの実施の形態の製氷容器を示す概略的な斜視図である。
【００４３】
図６に示すように、製氷容器１１は、複数の製氷区画としての製氷セル１１ａを形成するための仕切り部１１ｅを有する。仕切り部１１ｅは、支持軸１１ｃのまわりで製氷容器１１が矢印Ｓで示される方向に揺動する方向、すなわち、揺動方向Ｓに沿って延在するように形成されている。製氷容器１１の揺動方向Ｓに交差する方向には仕切り部が存在しないので、複数の製氷セル１１ａ間で水が連通する連通部１１ｂが形成されている。また、製氷容器１１は、揺動方向Ｓに沿って延びる流路１１ｄを有する。
【００４４】
図７は、本発明の一つの実施形態の製氷装置において製氷動作プロセスの順に示す製氷装置の側断面図である。図７に基づいて一連の製氷プロセスについて説明する。
【００４５】
製氷準備工程では、図１に示すように制御部７０からの指示によって、貯水タンク４０からポンプユニット５０、給水パイプ６０を介して、図７の（Ａ）に示すように一定量の水８０が、たとえば１００ｃｃの水８０が矢印Ｗで示す方向に製氷容器１１の製氷セル１１ａ（図６）に供給される。
【００４６】
次に、製氷準備工程完了後、制御部７０（図１）からの指示により、揺動ユニット１２（図２）の駆動を開始する。製氷工程では、図２に示すギヤードモータ１２ａを駆動すると、アーム１２ｂを介して、図７の（Ｂ）に示すように製氷容器１１は、たとえば、製氷容器１１の水平位置を中心にして、すなわち、鉛直方向を中心にして±３５°の振幅、周期２．８秒（周波数０．３５ヘルツ）で、矢印Ｓで示される方向に正逆に揺動し、製氷セル１１ａに蓄えられた水８０は、製氷容器１１の内壁に沿って往復揺動する。また、揺動ユニット１２の駆動開始と同時に、ワイヤヒータ１６を通電する。
【００４７】
この状態を一定時間維持して製氷容器１１内の水８０を凍結させる。ワイヤヒータ１６を通電することにより、次第にカバー体１７で覆われた空間内の空気温度が上昇し、製氷容器１１の上部に比べて底部の雰囲気温度が相対的に低くなる。このため、水８０は製氷容器１１の底部および側底部から凍結していくことになる。このとき、水８０の揺動により、凍結面で発生する気泡の成長が促進され、未凍結の水面から大気中に拡散していく。さらに、純粋な氷の表面上に揺動する水が積層して凍結していくため、凍結した水はより純度の高い氷となり、透明度を高くする効果をもたらす。言い換えれば、水８０が貯留された製氷容器１１の内底面の直上に薄い氷の層を形成し、その後、水８０の下で氷の層を製氷容器１１とともに揺動させるとともに水８０を揺動させる過程で、氷の層の直上の水を冷却することにより、さらに、薄い氷の層を形成し積層する。この過程を繰り返すことによって、より透明度の高い氷を形成することができる。
【００４８】
なお、この場合、カバー体７内の空気温度と製氷室２０（図１）内の温度差は、約１０〜１５℃程度であることが好ましい。温度差が大きいほど、製氷容器１１の冷却方向を制御しやすく、溶存気体も拡散しやすくなるが、製氷完了までかなりの時間が必要となってしまう。逆に、温度差を小さくすると、冷却方向を制御できなくなり、製氷完了までに水面からも凍結し、発生した気泡が大気中に拡散できなくなってしまう。
【００４９】
最後に、離氷工程では、制御部７０にて、製氷容器１１に設置された温度検知手段（図示せず）によって製氷完了を検知すると、揺動ユニット１２の駆動を停止する。好ましくは、揺動ユニット１２は製氷容器位置検知手段（図示せず）を備えており、製氷容器１１が水平位置に戻った時点で揺動ユニット１２の駆動を停止するとよい。
【００５０】
製氷容器１１の揺動が停止した後、図２に示す離氷ユニット１３を駆動し、支持軸１１ｃを中心に製氷容器１１を回動反転させる。やがて、製氷容器１１の一方端は、製氷グリル１４に設けられたストッパー１８（図２）に接触するが、続けて離氷用モータ１３ａを駆動し、製氷容器１１を変形させる。このとき、図７の（Ｃ）に示すように、製氷容器１１内の氷９０は製氷セル１１ａから剥離し、製氷容器１１の開口部から矢印Ｔで示される方向に貯氷容器３０（図１）に向かって落下する。
【００５１】
以上のようにして透明度の高い氷を生成することができる。このとき、氷の形状は、略三日月形状であり、氷中の光の透過の形態が独特であるため、透明度と相まって美しさの際立つものとなる。
【００５２】
なお、本発明の製氷装置１０では、製氷時、製氷容器１１を揺動させない場合も、従来どおりの製氷を行うことができる。製氷容器１１を揺動させない場合、供給された水は製氷セル１１ａで静止したまま凍結する。離氷時は、揺動製氷時と同様、製氷容器１１を変形させることにより離氷が可能である。この場合、製氷時に製氷容器１１を揺動させない分、消費電力を低減することができ、停電や揺動ユニット１２の故障など、不測の事態においても最低限従来どおりの製氷を行うことができる。
【００５３】
要約すれば、この発明に従った製氷装置１０は、水を貯めて凍らせるための製氷容器１１と、この製氷容器１１を所定の揺動軸としての支持軸１１ｃのまわりに揺動させるための駆動部としての揺動ユニット１２とを備え、製氷容器１１は、製氷容器１１の揺動方向Ｓに沿って延びる流路１１ｄを有するので、製氷容器１１の揺動に応じて、水８０が支持軸１１ｃを中心にして製氷容器１１内を自在に移動することができる。これにより、製氷容器１１内の水をより大きく移動させることができ、水８０内の溶存気体を効果的に拡散しながら製氷を行うことができる。したがって、より確実に溶存気体を大気中に拡散させ、より透明度の高い氷９０を製造することができる。
【００５４】
この発明の製氷装置１０においては、製氷容器１１は複数の製氷区画としての製氷セル１１ａを形成するための仕切り部１１ｅを有し、この仕切り部１１ｅが製氷容器１１の揺動方向Ｓに沿って延在するように形成され、製氷容器１１の揺動方向Ｓに交差する方向には仕切り部が存在しないので、複数の製氷セル１１ａに区分けされた製氷容器１１においても、製氷容器１１の揺動に応じて、水が支持軸１１ｃを中心にして製氷容器１１内を自在に移動することができる。これにより、製氷容器１１内の水をより大きく移動させることができ、水内の溶存気体を効果的に拡散しながら複数の製氷セル１１ａの製氷を行うことができる。したがって、より確実に溶存気体を大気中に拡散させ、透明な複数のセル状の氷を製造することができる。
【００５５】
また、この発明の製氷装置１０において、流路１１ｄは、揺動軸としての支持軸１１ｃを中心とする円筒面または楕円筒面を有するので、製氷容器１１内の水はより円滑に大きく揺動しながら凍結し、製氷完了時には美しい略三日月状の氷を生成することができる。この場合、製氷装置１０の流路１１ｄは、製氷容器１１の幅と同程度の直径を持つ略半円形状または楕円形状、あるいはバスタブ形状をなすようにしてもよい。
【００５６】
さらにこの発明の製氷装置１０は、製氷容器１１の上方または側方の少なくとも一方を覆うカバー体１７を備えることにより、周囲の冷気が製氷容器１１の上部に流入しないので、製氷容器１１の上部に位置する水はより凍結しにくい。このため、相対的に製氷容器１１の底部に位置する水から凍結が進行するように、冷却方向を制御することが容易になる。
【００５７】
この発明の製氷装置１０は、製氷容器１１の上方または側方の少なくとも一方に設けられた加熱手段としてワイヤヒータ１６を備えことにより、製氷容器１１の上部と底部との間に温度差を生じさせることができるので、製氷容器１１の底面から一方向に冷却することができる。
【００５８】
この発明の製氷装置１０は、製氷装置１０の筐体と、製氷容器１１の上方または側方の少なくとも一方を覆うカバー体１７と、製氷容器１１の上方または側方の少なくとも一方に設けられた加熱手段としてワイヤヒータ１６を備え、ワイヤヒータ１６は、筐体とカバー体１７とに対して断熱材１５を介在して配置されていることにより、ワイヤヒータ１６により加えられる熱が製氷装置１０を構成する筐体、カバー体１７、付属部品等に逃げるのを防止することができるので、製氷容器１１の上方の空気と製氷容器１１の上部に位置する水とを有効に加熱することができる。これにより、製氷容器１１の上部と底部との間に温度差を効果的に生じさせることができるので、製氷容器１１の底面から一方向に冷却することができる。
【００５９】
この発明の製氷装置１０において、駆動部としての揺動ユニット１２は、鉛直方向を中心にして±３０度〜４５度の角度範囲で製氷容器１１を揺動させることにより、製氷容器１１内の水をこぼさない範囲でより大きく移動させることができ、液体内の溶存気体を効果的に拡散しながら製氷を行うことができる。
【００６０】
この発明の製氷装置において、駆動部としての揺動ユニット１２は、３．５秒以下の周期で製氷容器１１を揺動させることにより、水内の溶存気体を効果的に拡散できる速度で水を移動させながら製氷を行うことができる。
【００６１】
図１に示すように冷凍冷蔵庫１は、上述の特徴を有する製氷装置１０を備えることにより、一般家庭や飲食店等でも手軽に透明な製氷が可能な冷凍冷蔵庫を得ることができる。
【００６２】
上記の実施形態において、製氷容器１１の流路１１ｄの形状を半円筒面としたが、製氷容器内の水の円滑な流動を妨げないように揺動軸方向に仕切り部を備えない、あるいは揺動方向Ｓに沿った仕切り部を備えるのであれば、必ずしも半円筒面でなくてもよい。
【００６３】
また、上記の実施形態において、製氷容器１１を覆うカバー体１７は製氷容器１１の上方と側方を覆う形状にしたが、製氷容器１１の上部付近に冷気が侵入しないようであれば、上方または側方のいずれか一方を覆う構成でもよい。上記の実施の形態では、製氷容器１１の上部付近の空気や製氷容器１１の上部を加熱するようにワイヤヒータ１６を配置しているが、製氷容器１１の底部と上部との間で効果的に温度差を生じさせることができれば、ヒータを製氷容器１１の側方に配置してもよい。
【００６４】
さらに、揺動ユニット１２は、製氷容器１１を正逆の方向に揺動させることが可能であれば、正逆回転可能なギヤードモータとモータ軸に接続されたアームとを備えたものでなくてもよい。たとえば、一定方向にのみ回転するモータを、ラック・ピニオン機構を介して製氷容器に接続してもよい。
【００６５】
なお、製氷容器１１と揺動ユニット１２、製氷容器１１と離氷ユニット１３は、揺動ユニット１２と離氷ユニット１３のそれぞれの運転に干渉しなければ、必ずしも上述のように接続しなくてもよい。
【００６６】
今回開示された実施の形態はすべての点で例示であって制限的なものではないと考慮されるべきである。本発明の範囲は以上の実施の形態ではなく、特許請求の範囲によって示され、特許請求の範囲と均等の意味および範囲内でのすべての修正や変形を含むものであることが意図される。
【図面の簡単な説明】
【００６７】
【図１】本発明の一つの実施形態の製氷装置を搭載した冷凍冷蔵庫の構成を示す概略的な断面図である。
【図２】この発明の一つの実施の形態の製氷装置の構成を示す概略的な縦断面図である。
【図３】図２のＩＩＩ−ＩＩＩ線における横断面図である。
【図４】揺動ユニットと製氷容器との位置関係を示す部分断面図である。
【図５】離氷ユニット内のギア部の構成を示す側断面図（Ａ）と縦断面図（Ｂ）である。
【図６】この発明の一つの実施の形態の製氷容器を示す概略的な斜視図である。
【図７】本発明の一つの実施形態の製氷装置において製氷動作プロセスの順に示す製氷装置の側断面図である。
【図８】従来の製氷装置の製氷容器を示す概略的な斜視図である。
【符号の説明】
【００６８】
１：冷凍冷蔵庫、１０：製氷装置、１１：製氷容器、１１ａ：製氷セル、１１ｂ：連通部、１１ｃ：支持軸、１１ｄ：流路、１１ｅ：仕切り部、１２：揺動ユニット、１５：断熱材、１６：ワイヤヒータ、１７：カバー体。
【図１】
2008157487.tif 000003
【図２】
2008157487.tif 000004
【図３】
2008157487.tif 000005
【図４】
2008157487.tif 000006
【図５】
2008157487.tif 000007
【図６】
2008157487.tif 000008
【図７】
2008157487.tif 000009
【図８】
2008157487.tif 000010